(57)【要約】【課題】  クレープ紙に消臭剤や抗菌剤を添加しても、消臭作用や抗菌作用を低下させずに粉落ちを防止することができる吸収性物品を提供する。【解決手段】  銀イオンを担持したゼオライトを、クレープ紙５にノンバインダーでグラビアコートにより塗工量０．６ｇ／ｍ２で塗工し、１５０℃で乾燥させた後、吸収性物品１を製造した。【選択図】    図１
2005095344.tif 000002
【特許請求の範囲】
【請求項１】
透液性の上層シートと、下層シートと、両シートの間に介在する吸収体と、この吸収体を覆うクレープ紙とを備えた吸収性物品において、
前記クレープ紙には、非水溶性であるとともに消臭性または抗菌性の少なくとも一方の性質を有する無機成分が塗工され、この無機成分の塗工量Ｎが以下の範囲
０．１ｇ／ｍ２＜Ｎ＜１．２ｇ／ｍ２
に設定されたことを特徴とする吸収性物品。
【請求項２】
前記無機成分は、ゼオライトに、非水溶性かつ抗菌性を有する無機イオンを担持させて構成されたことを特徴とする請求項１記載の吸収性物品。
【請求項３】
前記クレープ紙には、前記無機成分がノンバインダーで塗工されていることを特徴とする請求項１または２記載の吸収性物品。
【発明の詳細な説明】
【技術分野】
【０００１】
本発明は、紙おむつやナプキン等の吸収性物品に関する。
【背景技術】
【０００２】
従来、身体に装着して尿等の体液を吸収する吸収性物品には、着用側（上側）の上層シートと、非着用側（下側）の下層シートと、両シートの間に介在する吸収体と、この吸収体を覆うクレープ紙とを備えたものがある。
【０００３】
上層シートは着用者の肌にあたる装着面を有するトップシートと、トップシートの下側に配置されたセカンドシートとを備えており、両シートは着用者の体液を通過させる透液性を有している。一方、下層シートは複数枚のシートが重ね合わされて構成されており、吸収体は着用者の体液を吸収するポリマーおよびパルプ、またはポリマーのみから構成されている。またクレープ紙は着用者の体液を通過させる透液性を有しており、吸収体の形状を維持したり吸収体を構成するパルプやポリマーの飛散を防止している。
【０００４】
そしてこのような吸収性物品の中には、消臭作用や抗菌作用を付与するために消臭剤や抗菌剤が添加されたものがあり、例えば消臭作用や抗菌作用を効率よく働かせるために、クレープ紙に非水溶性の消臭剤や抗菌剤を含む塗工液が塗工されたものが知られている。
【発明の開示】
【発明が解決しようとする課題】
【０００５】
しかしながら、塗工によってクレープ紙に消臭剤や抗菌剤が固着しても、塗工量が多い場合にはクレープ紙から剥がれ落ちてしまう（粉落ち）。また塗工量を少なくした場合には粉落ちはないが、消臭作用や抗菌作用が低下してしまう問題があった。
【０００６】
本発明は、かかる従来の課題に鑑みてなされたものであり、クレープ紙に消臭剤や抗菌剤を添加しても、消臭作用や抗菌作用を低下させずに粉落ちを防止することができる吸収性物品を提供することを目的とする。
【課題を解決するための手段】
【０００７】
前記課題を解決するために本発明の請求項１記載の吸収性物品においては、透液性の上層シートと、下層シートと、両シートの間に介在する吸収体と、この吸収体を覆うクレープ紙とを備えた吸収性物品において、前記クレープ紙には、非水溶性であるとともに消臭性または抗菌性の少なくとも一方の性質を有する無機成分が塗工され、この無機成分の塗工量Ｎが０．１ｇ／ｍ２＜Ｎ＜１．２ｇ／ｍ２に設定されたものとしている。
【０００８】
また請求項２記載の吸収性物品においては、前記無機成分は、ゼオライトに、非水溶性かつ抗菌性を有する無機イオンを担持させて構成されたものとしている。
【０００９】
また請求項３記載の吸収性物品においては、前記クレープ紙には、前記無機成分がノンバインダーで塗工されているものとしている。
【００１０】
本発明では、非水溶性かつ抗菌性の無機成分としては銀イオン、銅イオン、亜鉛イオン等が使用される。また、非水溶性かつ消臭性の無機成分としてはゼオライト、シリカゲル、活性炭等が使用される。また非水溶性かつ抗菌性の無機成分と、非水溶性かつ消臭性の無機成分を混合した無機成分としては、前記無機イオンに前記抗菌剤を担持させたものが使用される。
【００１１】
また塗工方法としては、グラビアコートやスプレーコート等が使用される。またクレープ紙のクレープ率保持のためにフレキソ、ドット塗工等を使用することができる。
【発明の効果】
【００１２】
本発明の吸収性物品においては、消臭剤や抗菌剤の塗工量Ｎを０．１ｇ／ｍ２＜Ｎ＜１．２ｇ／ｍ２に設定したことにより、消臭作用や抗菌作用を低下させずに粉落ちを防止することができる。さらに、クレープ紙に消臭剤や抗菌剤がノンバインダー（バインダーを使用しない）で塗工されているため、吸収性能の低下を防止することができる。
【発明を実施するための最良の形態】
【００１３】
本発明をより詳細に説明するために、以下添付図面に従ってこれを説明する。
【００１４】
図１は、本発明の実施の形態を示す吸収性物品１の分解模式縦断面図である。この吸収性物品１は、着用側（上側）の上層シート２と、非着用側（下側）の下層シート３と、両シート２、３の間に介在する吸収体４と、吸収体４を覆うクレープ紙５とを備えている。
【００１５】
上層シート２は、着用者の肌にあたる装着面を有するトップシートと、トップシートの下側に配置されたセカンドシートとを備えている。また両シートは不織布から構成されており、着用者の体液を通過させる透液性を有している。
【００１６】
下層シート３は、複数枚のシートが重ね合わされて構成されており、ポリエチレン等の着用者の体液を通過させない不透液性フィルムや、不透液性フィルムと不織布あるいは織布を貼り合わせた透液性の素材や、通気性また非通気性の素材が使用されている。
【００１７】
吸収体４は、着用者の体液を吸収するポリマーおよびパルプ、またはポリマーから構成されており、クレープ紙は着用者の体液を通過させる透液性を有している。
【００１８】
以下この吸収性物品１に基づいて実施例により本発明をさらに詳しく説明するが、本発明の範囲はかかる実施例に限定されるものではない。
【００１９】
実施例１
銀イオンを担持したゼオライトを、クレープ紙５にノンバインダーでグラビアコートにより塗工量０．６ｇ／ｍ２で塗工し、１５０℃で乾燥させた後、吸収性物品１を製造した。
【００２０】
比較例１
銀イオンを担持したゼオライトを、クレープ紙５にノンバインダーでグラビアコートにより塗工量０．１ｇ／ｍ２で塗工し、１５０℃で乾燥させた後、吸収性物品１を製造した。
【００２１】
比較例２
銀イオンを担持したゼオライトを、クレープ紙５にノンバインダーでグラビアコートにより塗工量１．２ｇ／ｍ２で塗工し、１５０℃で乾燥させた後、吸収性物品１を製造した。
【００２２】
またブランクとして何も塗工せずに吸収性物品１を製造した。
【００２３】
各吸収性物品１の吸収性能の測定は、表面液流れ測定法と透液性測定法により行った。表面液流れ測定法は、サンプルをＭＤ方向に切り取り、４５度の傾斜を有する傾斜部材の傾斜面に濾紙を１０枚重ねて貼り付け、その上にサンプルを肌にあたる方を上にして貼り付ける。そして高さ１０ｍｍより１０ｍｌピペットで着色した人工尿を目印をつけた箇所に１滴落とし、表面上のＭＤ方向に液滴が流れた長さを測定した。
【００２４】
また透液性測定法は、サンプルを１００ｍｍ×１００ｍｍに切り取り、４０枚重ねにして四隅をホチキスで固定する。そして、サンプルを肌にあたる方を下側にして人工尿に浮かべ、表面中央が完全に人工尿に浸透するまでの時間を測定した。
【００２５】
また粉落ちの測定は、サンプルを１０ｃｍ×１０ｃｍに切り取ったものを１０枚重ねて黒色板の５０ｃｍ上方から落下させる。これを１０回繰り返し、粉落ちの有無を目視にて確認した。 さらに消臭作用や抗菌作用の測定は人工尿を使用して官能検査（におい）により行った。
【００２６】
なお人工尿の組成は、尿素２ｇ、塩化ナトリウム０．８０ｇ、塩化カルシウム２水和物０．０８ｇ、硫酸マグネシウム２水和物０．０３ｇ、イオン交換水９７．０９ｇとした。
【００２７】
実施例、比較例、ブランクの測定結果を表１に示す。表１における評価は、○は良、△はやや不良、×は不良である。
【表１】
2005095344.tif 000003
【００２８】
この表１において、実施例１は吸収性能の低下が見られず、また粉落ち無し、消臭・抗菌作用も良好であった。しかしながら、比較例１では、実施例１と同様に吸収性能の低下がみられず、また粉落ちもみられないが、消臭・抗菌作用がやや不良であった。さらに比較例２では、消臭・抗菌作用は良好であったが、実施例１に比べて吸収性能の大幅な低下がみられ、また粉落ちもみられた。
【００２９】
このように本実施例１では、銀イオンを担持したゼオライトをノンバインダー（バインダーを使用しない）でクレープ紙５に塗工することから、体液がクレープ紙を通過する際には阻害するものがなく、吸収体４に体液を十分に吸収させることができる。よって、クレープ紙５に消臭剤および抗菌剤を添加しても吸収性能の低下を防止することができる。また銀イオンを担持したゼオライトの塗工量Ｎを０．１ｇ／ｍ２＜Ｎ＜１．２／ｍ２の範囲にある０．６ｇ／ｍ２に設定したことにより、消臭・抗菌作用を低下させずに粉落ちを防止することができる。
【図面の簡単な説明】
【００３０】
【図１】本発明の実施の形態を示す吸収性物品の模式分解縦断面図である。
【符号の説明】
【００３１】
１    吸収性物品
２    上層シート
３    下層シート
４    吸収体
５    クレープ紙  
【図１】
2005095344.tif 000004